【事件の表示】
　平成　５年特許願第２２４５５５号「遊技機」拒絶査定不服審判事件〔平成　７年　３月２８日出願公開、特開平　７−　８０１３２〕について、次のとおり審決する。
【結　論】
　本件審判の請求は、成り立たない。
【理　由】
【１】本願の手続の経緯 
　本願は平成５年９月９日の出願であって、平成１４年８月６日付けで拒絶理由が通知され、これに対し平成１４年１０月１１日付けで手続補正され、平成１４年１１月１４日付けで拒絶査定がなされ、これに対し平成１４年１２月１８日に拒絶査定に対する審判請求がなされ、平成１５年２月１９日付けで手続き補正されたものである。
　　　　
【２】補正後の本願発明
　平成１５年２月１９日付けの手続補正により、補正された特許請求の範囲の請求項１に係る発明（以下、この発明を「本願発明」という。）は、以下のとおりである。
「【請求項１】入賞口と協働して入賞とするため、遊技球を受け入れて保持可能な球受部を有する回転体と、この回転体を遊技中に回転駆動するモータとを備えた回転体付き役物において、前記回転体の回転動作を検出する回転動作検出手段と、前記回転動作検出手段からの検出信号に基づいて球噛みの有無を判定する球噛み判定手段と、この球噛み判定手段からの判定信号に応じて球噛み状態を解除する手段とを設けたことを特徴とする遊技機。」
　　　　
【３】引用例に記載の発明
１．原査定の拒絶の理由に引用され、本願の出願日前に頒布された特開平４−３６７６８１号公報（以下、「引用例」という。）には、図面とともに、以下の技術事項が記載されている。
（ア）「まず、パチンコ台の構成から説明する。パチンコ台は、図２に示したように、機枠１と、機枠１の前面に開閉自在に取り付けられた前枠３と、前枠３の裏面に着脱自在に装着される遊技盤５を中心に構成されている。遊技盤５の裏面には、種々の機構が装着される機構板７が回動自在に取り付けられており、この機構板７の裏面上部には、図示しないパチンコ玉送給装置から送給されるパチンコ玉を貯める景品球タンク１０が固定されている。この景品球タンク１０の下方には、景品球となるパチンコ玉を、２列に縦列させて導き出す導出樋１２が形成されており、その下端にパチンコ玉の送し出し装置２０が装着されている。また、前枠３下部には、玉発射装置１４が取り付けられている。」（段落【００１０】）
（イ）「導出樋１２の途中には、送り出し装置２０が動作するのに十分な数のパチンコ玉が溜まっていない場合にこれを検出する玉補給インターロックスイッチ１５が設けられている。また、導出樋１２の末端、送り出し装置２０の直前には、導出樋１２での玉詰まり等を検出する玉詰まりインターロックスイッチ１７と、送り出し装置２０直前のパチンコ玉の存在を検出する玉確認スイッチ１８が設けられている。また、送り出し装置２０のパチンコ玉排出側直下には、送り出し装置２０から払い出される景品球を検出する景品球確認スイッチ１９が設けられている。送り出し装置２０は、後述する電子制御装置の制御の下で、景品球の払出しを行なう。」（段落【００１１】）
（ウ）「なお、玉補給インターロックスイッチ１５，玉詰まりインターロックスイッチ１７，玉確認スイッチ１８，景品球確認スイッチ１９は、２列設けられた導出樋１２の各々に応じて、２個ずつ設けられているが、同一の構成なので以下の説明では一方のみを示す。また、玉確認スイッチ１８，景品球確認スイッチ１９の構成と働きについては、送り出装置２０の構成および働きと併せて、後で詳解する。」（段落【００１２】）
（エ）「送り出し装置２０による景品球の送り出しは、入賞球に応じて行なわれるが、この入賞球は、入賞球導出路２３に設けられた検出器２４により検出される。入賞球は、入賞した役物の種類等に応じて３つに区別されており、検出器２４も３組設けられている。パチンコ玉の送り出しを開始するための信号という意味で、これを第１，第２，第３スタートスイッチ（２４ａ，ｂ，ｃ）と呼んでいる。」（段落【００１３】）
（オ）「次に、送り出し装置２０の構成について説明する。送り出し装置２０は、図３，図４に示すように、上下に開口した中空の角筒体形状のケース２９を有し、その内部の導出樋１２の下端に対応した位置に、２列の玉通路３１，３２を備える。また、ケース２９の内部には、ケース２９の壁面に両端が支持された横軸３５が設けられ、この横軸３５に２つの玉切り円盤４１，４２が連結筒部４３により一体かつ横軸３５に対して回転自在に軸支されている。」（段落【００１５】）
（カ）「各玉切り円盤４１，４２は、外周の１３箇所に半円状の切欠Ｐａを有する２枚のスプロケット４４と、このスプロケット４４を両側に固定したブラケット４５とから構成されている。玉切り円盤４１，４２は、その外周が、図４に示すように、玉通路３１，３２の内部に臨む位置に設けられている。また、スプロケット４４の外周に設けられた切欠Ｐａの径が、パチンコ玉とほぼ同一であることから、玉切り円盤４１，４２が回転すると、玉通路３１，３２内のパチンコ玉Ｂは一つずつ、放出樋２６へと送り出されることになる。なお、玉切り円盤４１，４２は、切欠Ｐａのピッチのちょうど１／２だけずれた回転位置で互いに固定されており、パチンコ玉の送り出しは、交互になされる。」（段落【００１６】）
（キ）「２組の玉切り円盤４１，４２を連結する連結筒部４３の外周には、ウオーム歯車４６が固定されている。このウオーム歯車４６には、これを駆動するウオーム４７が噛み合わされている。このウオーム４７が取り付けられた軸４９は、一端がケース２９の外壁に回転自在に軸支され、他端がステッピングモータ５０の回転軸５１に固定されている。ステッピングモータ５０は、ケース２９外壁に固定されている。ステッピングモータ５０が回転すると、その回転軸５１に直結されたウオーム４７の回転を介してウオーム歯車４６が回転し、玉切り円盤４１，４２も回転する。玉切り円盤４１，４２の回転の状態を検出するために、玉切り円盤４２の一方のスプロケット４４を挟む位置に、赤外光を利用した透過型光検出器５５が設けられている。この透過型光検出器５５は、スプロケット４４の切欠Ｐａより、光が透過もしくは遮断する毎に、即ちパチンコ玉が１個送り出される毎に、パルス信号を送出する。」（段落【００１７】）
（ク）「なお、この送り出し装置２０と玉確認スイッチ１８，景品球確認スイッチ１９との取付位置関係について説明すると、図４に示すように、玉確認スイッチ１８は、送り出し装置２０の玉通路３１，３２の直前に設けられており、景品球確認スイッチ１９は、その直下に設けられている。」（段落【００１８】）
（ケ）「次に、パチンコ台全体の制御を行なう電子制御装置６０とこの電子制御装置６０が制御する送り出し装置２０周りの構成について、図１を参照しつつ説明する。この電子制御装置６０は、周知の算術論理演算部やＲＯＭ，ＲＡＭ等を中心に構成されている。電子制御装置６０は、上述した各種スイッチからの信号を取り込み、送り出し装置２０あるいは図示しない入賞表示ランプなどの表示素子群等を制御する。」（段落【００１９】）
（コ）「以上の構成を有する電子制御装置６０が実行する処理について、説明する。本実施例の電子制御装置６０は、スタートスイッチ２４が入賞球を検出すると図７に示した景品球払出し処理ルーチンを実行する。このルーチンか起動されると、まず、払出し数をカウントする変数ｉに所定数Ｓを設定する処理を行なう（ステップＳ１００）。通常のパチンコ台では、変数ｉには、値７もしくは１５が設定される。その後、送り出し装置２０のステッピングモータ５０をその最小駆動速度まで制御する処理を行なう（ステップＳ１１０）。ステッピングモータ５０の起動時には大きな駆動力を必要とするので、図８に示すように、大きな駆動電力が加えられる。」（段落【００２８】）
（サ）「続いて、所定時間ｔ１以内にパチンコ玉の払出しが検出されたか否かの判断を行なう（ステップＳ１２０）。最小駆動速度でステッピングモータ５０が駆動され玉切り板４１が回転してパチンコ玉が正常に送り出されると、景品球確認スイッチ１９がこれを検出するから、この信号に基づいてパチンコ玉の払出しが確認される。所定時間ｔ１以内に払出しの検出がなされた場合には、景品球の払出しの残数を示す変数ｉを値１だけデクリメントし（ステップＳ１３０）、更にパチンコ玉の払出しが正常に行なわれているとして、フラグＦｒに値０をセットする（ステップＳ１４０）。」（段落【００２９】）
（シ）「その後、変数ｉが値０であるか否かの判断を行ない（ステップＳ１５０）、値０でない、即ちまだ払出していない景品球が残っていると判断された場合には、ステッピングモータの駆動速度が最大速度か否かを判断し（ステップＳ１６０）、未だ最高速度でないと判断した場合には駆動速度を１段階アップする処理を行なう（ステップＳ１７０）。その後、あるいは処理速度が既に最高速度に達していると判断されれば、そのままステップ１２０に戻って所定時間内に払出しが検出されるか否かの判断から処理を繰り返す。この処理により、図９に区間１として示した様に、所定時間ｔ１以内にパチンコ玉の払出しが検出されている限り、駆動速度は次第に高くなり、やがて最高速度で駆動される。その後、パチンコ玉の払出しが継続すれば、最高速度での払出しが継続される。この様子を図９に、区間２として示した。」（段落【００３０】）
（ス）「一方、パチンコ玉の払出しが継続できない条件が存在する。例えば、送り出し装置２０における玉詰まりや玉噛みの発生といったトラブルのみならず、景品球として払出し可能なパチンコ玉の供給が遅れ、玉補給インターロックスイッチ１５などがこうした状態を検出するといった事態などが考えられる。こうした場合には、パチンコ玉の払出しは検出できなくなり、ステップＳ１２０における判断は「ＮＯ」となる。こうして、ステッピングモータ５０を駆動しても所定時間ｔ１以内に払出しが検出できない場合には、ステッピングモータ５０の駆動速度が最低速度か否かの判断を行ない（ステップＳ１８０）、最低速度でなければ、その駆動速度を１段階ダウンする処理を行なう（ステップＳ１９０）。この結果、パチンコ玉の払出しが検出できない状態が続くと、図９に区間３として示したように、ステッピングモータ５０の駆動速度は漸減する。」（段落【００３１】）
（セ）「パチンコ玉の排出が行なわれず、ステッピングモータ５０の駆動速度が最低速度に向けて漸減された後（図９区間６）、時間ｔ２が過ぎても払出しが検出されないと（ステップＳ１２０，１８０）、続いてフラグＦｒが値１か否かの判断行なわれる（ステップＳ２００）。通常フラグＦｒは値０に設定されているから、ステップＳ２００での判断は「ＮＯ」となり、更に時間ｔ２が経過したか否かの判断が行なわれる（ステップＳ２１０）。ステッピングモータ５０が最低速度で所定時間ｔ２だけ保持されてもなおパチンコ玉の払出しが検出できない場合には、送り出し装置２０における玉詰まり等が発生したと判断して、次に時間ｔ３だけステッピングモータ５０を逆転させる制御を行ない（ステップＳ２２０）、その直後に逆転制御を行なったことを示すためにフラグＦｒに値１を設定する処理を行なう（ステップＳ２３０）。なお、ステップＳ２２０の処理により所定期間逆転制御された後、ステッピングモータ５０は、再び最低速度で正転方向に回転される。」（段落【００３３】）
（ソ）「通常であれば、噛み込みや詰まりを起こしたパチンコ玉は、ステッピングモータ５０の逆転による玉切り板４１の逆転により、詰まり等の状態が解消され、引き続くステッピングモータ５０の通常の回転（正転）により、送り出し装置２０から排出される。従って、図９に示した区間７におけるステッピングモータ５０の逆転の後、ステッピングモータ５０が正転すると、パチンコ玉の払出しが検出され（ステップＳ１２０）、景品球の残数ｉはデクリメントされ（ステップＳ１３０）、送り出し装置２０の駆動速度は次第に上昇される（図９区間８）。一方、ステッピングモータ５０を一旦逆転したあとで、なおパチンコ玉の払出しが検出できない場合には、重大な故障が発生している可能性があるとして、アラーム処理を行ない（ステップＳ２４０）、本処理ルーチンを終了する。」（段落【００３４】）　　　　
　以上の（ア）乃至（ソ）の記載事項及び図面から、「引用例」には、以下の発明（以下、「引用発明」という。）が記載されているものと認められる。
　　　　
＜引用発明＞
「パチンコ台は、遊技盤５の裏面に種々の機構が装着される機構板７が取り付けられ、この機構板７の裏面上部に景品球タンク１０が固定され、景品球タンク１０の下方に景品球となるパチンコ玉を２列に縦列させて導き出す導出樋１２が形成され、その下端にパチンコ玉の送り出し装置２０が装着されるパチンコ台であって、送り出し装置２０は、上下に開口した中空の角筒体形状のケース２９を有し、２列の玉通路３１，３２を備え、ケース２９の内部に２つの玉切り円盤４１，４２が回転自在に軸支されており、玉切り円盤４１，４２は、外周に半円状の切欠Ｐａを有し、玉通路３１，３２の内部に臨む位置に設けられ、ステッピングモータ５０が回転すると玉切り円盤４１，４２が回転し、玉通路３１，３２内のパチンコ玉が一つずつ放出樋２６へ送り出され、玉確認スイッチ１８は、送り出し装置２０の玉通路３１，３２の直前に、景品球確認スイッチ１９は、その直下に設けられ、パチンコ台全体の制御を行なう電子制御装置６０は、各種スイッチからの信号を取り込み、送り出し装置２０を制御し、スタートスイッチ２４が入賞球を検出すると、送り出し装置２０のステッピングモータ５０を制御する処理を行ない、続いて、所定時間ｔ１以内にパチンコ玉の払出しが検出されたか否かの判断を行ない、所定時間ｔ１以内に払出しが検出できない場合は、ステッピングモータ５０の駆動速度が最低速度か否かの判断を行ない、最低速度でなければ、その駆動速度を１段階ダウンする処理を行ない、ステッピングモータ５０が最低速度で所定時間ｔ２だけ保持されてもパチンコ玉の払出しが検出できない場合、送り出し装置２０における玉詰まり等が発生したと判断し、次に時間ｔ３だけステッピングモータ５０を逆転させる制御を行ない、所定期間逆転制御された後、再び最低速度で正転方向に回転するパチンコ台。」
　　　　
【４】対比
１．本願発明と引用発明との対比
　本願発明と引用発明とを対比すると、引用発明の「パチンコ玉」が本願発明の「遊技球」に、以下同様に「パチンコ台」が「遊技機」に相当している。
　また、引用発明の役物に関して、引用例の上記記載事項（エ）「・・入賞球は、入賞した役物の種類等に応じて３つに区別されており、検出器２４も３組設けられている。・・」なる記載に基づけば、引用発明の遊技機に入賞球を受け入れる役物を備え、通常、役物に入賞口を有することは役物の性質から明らかであるから、引用発明と本願発明は「入賞口で入賞とする役物」で共通する構成を備えている。
　そして、上記記載事項（コ）「電子制御装置６０は、スタートスイッチ２４が入賞球を検出すると・・送り出し装置２０のステッピングモータ５０を・・制御する処理を行なう・・」、同じく記載事項（サ）「続いて、所定時間ｔ１以内にパチンコ玉の払出しが検出されたか否かの判断を行なう・・ステッピングモータ５０が駆動され玉切り板４１が回転してパチンコ玉が正常に送り出されると、景品球確認スイッチ１９がこれを検出する・・」、同じく記載事項（ス）「・・送り出し装置２０における・・玉噛みの発生といったトラブル・・こうした場合には、パチンコ玉の払出しは検出できなくなり、・・所定時間ｔ１以内に払出しが検出できない場合には、・・その駆動速度を１段階ダウンする処理を行なう」、同じく記載事項（セ）「ステッピングモータ５０が最低速度で所定時間ｔ２だけ保持されてもなおパチンコ玉の払出しが検出できない場合には、送り出し装置２０における玉詰まり等が発生したと判断して、次に時間ｔ３だけステッピングモータ５０を逆転させる制御を行ない」なる記載に基づけば、引用発明の「景品球確認スイッチ１９」は、所定時間内の検出の有無により、玉噛みの判断の基となる検出を行うから、引用発明の「景品球確認スイッチ１９」と本願発明の「回動検出手段」は、共に玉噛みの有無を判定する基となる検出を行う「検出手段」として共通する機能を備えている。
　さらに、引用発明の「電子制御装置６０」は、「検出手段」からの検出信号に基づいて玉噛みの有無を判断し、この判断に応じてステッピングモータ５０を逆転させて玉噛み状態を解除するから、本願発明と同様に「検出手段からの検出信号に基づいて玉噛みの有無を判定する玉噛み判定手段と、この玉噛み判定手段からの判定信号に応じて玉噛み状態を解除する手段」の構成を共通に具備する点で一致している。
　　　　　
してみると、引用発明と本願発明とは
　　　　
「入賞口で入賞とする役物において、検出手段と、前記検出手段からの検出信号に基づいて球噛みの有無を判定する球噛み判定手段と、この球噛み判定手段からの判定信号に応じて球噛み状態を解除する手段とを設けた遊技機。」
　　　　　
　である点で一致し、以下の点で相違する。
　　　
＜相違点１＞
　役物が、本願発明は、入賞口と協動して入賞とするため、遊技球を受け入れて保持可能な球受部を有する回転体と、この回転体を遊技中に回転駆動するモータとを備えているのに対し、引用発明は、役物の具体的構成が不明な点。　　　　
＜相違点２＞
　回転体の球噛みの有無の判定を、本願発明は、役物で行うのに対し、引用発明は、送り出し装置で行う点。　　　　
＜相違点３＞
　回転体の球噛みの有無の検出を、本願発明は、役物の回転体の回転動作で行うのに対し、引用発明は、球の送り出し装置の遊技球の通過で行う点。　　　　　　
２．相違点についての検討
＜相違点１について＞
　「役物」の種類として、特開平５−２００１４５号公報（段落【００１５】〜【００１７】参照）、特開平４−２４４１７９号公報（段落【００１１】、【００１９】、【００２４】参照）、実願平３−８６１８号（実開平４−１０４８８３号）のマイクロフィルム（段落【０００７】、【００１９】参照）などが周知であることを勘案すれば、引用発明の「役物」に、「入賞口と協働して入賞とするため、遊技球を受け入れて保持可能な球受部を有する回転体と、この回転体を遊技中に回転駆動するモータとを備えた回転体付き役物」も含みうるから、引用発明の「役物」に、本願発明における相違点１の構成のものも実質的に備えているということができる。
　　　　
＜相違点２について＞
　上記相違点１について検討したように、引用発明の「役物」は、回転体、入賞口を包含するものであり、且つ入賞口と協働して入賞とするため、遊技球を受け入れて保持可能な球受部を有する回転体と、この回転体を遊技中に回転駆動するモータとを備えた回転体付き役物の回転においても、球を回転体で受け取り、送り出す点において、球の送り出し装置と同じ課題が生ずるものと解されるから、引用発明の球の送り出し装置に加えて、役物にも回転体の球噛みの有無の判定を行うこと、すなわち本願発明に係る相違点２を構成することは、当業者であれば、上記課題の解決手段として当然に行い得る事項のものといえる。　
　　　　　
＜相違点３について＞
　回転体の球噛みの有無の検出を、役物の回転体の回転動作で行う点に関して、本願発明は、回転体の球噛みの有無の検出を、ジョイント軸である回転駆動部分の回転動作で直接行うものであるが（段落【００４１】参照）、遊技機の分野において、回転動作の異常を、回転駆動部分の回転動作を直接検出して行うことは、例えば、特開平３−２７２７９１号公報（第３頁右上欄第７行〜同頁左下欄第４行参照）、特開平３−２０２０９２号公報（第２頁左下欄第１９行〜同頁右下欄第１２行参照）にも示されるように、回転動作の異常検出手段として、広く採用される周知のものである。
　そして、当該技術分野において、回転駆動部分の回転動作の異常の検出を、引用発明のように回転体から送り出される遊技球の通過で検出するか、上記周知技術のように回転駆動部分の回転動作を直接検出するかは、実質的に回転動作の異常を検出することに変わりがなく、且つ、互いに転用を図ることに格別の技術的困難性は認められないから、上記相違点２で検討したように引用発明の役物の回転体の球噛みの有無を判定する際に、回転体の回転動作で行う上記周知技術を適用し、引用発明の役物の回転体の回転動作を検出すること、すなわち、本願発明に係る相違点３を構成することは、当業者であれば適宜に変更し得る設計事項といえる。（なお、当該技術分野において、フォトセンサ或いは光センサで回転体の回転動作を回転位置で検出すること等も周知技術（例えば、特開平１−１７０４８４号公報（第１４頁右上欄第１５行〜同頁左下欄第１５行参照９）、特開昭６３−２２６３８４号公報（第８頁右上欄第１９行〜同頁左下欄第５行参照）である。）
　　　　
３．作用効果・判断
　そして、本願発明における作用効果は、引用発明及び周知技術に基づいて当業者が当然予測できるものである。
　したがって、本願発明は、引用発明及び周知技術に基づいて当業者が容易に発明をすることができたものであるから、特許法第２９条第２項の規定により特許を受けることができない。
　　　　　
【５】むすび
　以上のとおり、本願発明は、引用発明及び周知技術に基づいて、当業者が容易に発明をすることができたものであるから、特許法第２９条第２項の規定により特許を受けることができないものであり、本願の他の請求項について検討するまでもなく、本願は拒絶すべきものである。
　よって、結論のとおり審決する。